(57)【要約】【課題】光色の異なる複数の光源を列状に繰り返し配置してなる照明器具において、端部の光源の光色を目立たないようにする。【解決手段】照明器具１は、取り付け板２に固定される本体ケース３と、基板４上に１列に繰り返し並べて実装された青色、赤色、緑色の発光ダイオード５ｂ、５ｒ、５ｇと、その上面を覆う光透過性の蓋体６と、を備える。両端の発光ダイオード５ｂ、５ｇの上方を覆うようにして蓋体６の両端の角部に、発光ダイオード５ｂ、５ｇから出射される光を減衰するカバー７が取付けられる。両端を除く中間部の発光ダイオードから出射される光Ｌｂ、Ｌｒ、Ｌｇは、蓋体６を透過した後、互いに混合して白色となる。両端の発光ダイオード５ｂ、５ｇから出射される光Ｌｂｈ、Ｌｇｔのうち、カバー７に進入する光は、減衰されると共に拡散されて固有の光色（青色、緑色）が目立たなくなる。白色のみならず、混色で得られる全ての色調に対応可能である。【選択図】図２
2009129689.tif 000002
【特許請求の範囲】
【請求項１】
光色の異なる複数の光源を列状に繰り返し配置してなる照明器具において、
前記列状の端部に位置する光源を覆うカバーを備え、
前記カバーは前記端部の光源から出射される光を減衰させることを特徴とする照明器具。
【請求項２】
前記カバーは、光拡散処理されていることを特徴とする請求項１に記載の照明器具。
【請求項３】
前記カバーは、それが覆う光源の補色に着色されていることを特徴とする請求項１又は請求項２に記載の照明器具。
【発明の詳細な説明】
【技術分野】
【０００１】
本発明は、照明器具に関し、特に、光色の異なる複数の光源を列状に繰り返し配置してなる照明器具に関する。
【背景技術】
【０００２】
従来から、壁面や天井、床等に光を当ててその反射光により室内の照明を行う間接照明において、発光ダイオード等の小型光源を１列又は複数列の列状に配置して一定の長さを持った照明器具に構成したものが知られている（例えば、特許文献１参照）。
【０００３】
また、同様に発光ダイオードを列状に配置してなる照明器具において、発光ダイオードの光色が、例えば赤色、緑色、青色の順で繰り返すように配置することによって光色を混合させ、所定の光色（例えば、白色）が得られるように構成した照明器具が知られている（例えば、特許文献２参照）。
【特許文献１】特開２００２−１６３９０７号公報
【特許文献２】特開２００５−１７４７２７号公報
【発明の開示】
【発明が解決しようとする課題】
【０００４】
上記のように光色の異なる複数の発光ダイオード光源を列状に繰り返し配置し、各光源から出射される光を混合させて所定の光色を得るように構成した照明器具は、該照明器具の中央寄りの大部分では光が良好に混合して所定の光色が得られるが、端部分では光が良好に混合せず、端部に位置する発光ダイオードの固有の光色が目立ち、ユーザに違和感を与えることがあった。
【０００５】
これについて、図６を参照して具体的に説明する。図６に示された照明器具１００は、本体ケース１０１と、本体ケース１０１内に収納された細長い基板１０２上に１列に並べて実装された青色、赤色、緑色の各発光ダイオード１０３ｂ、１０３ｒ、１０３ｇと、各発光ダイオードの上面を覆う光透過性の蓋体１０４と、を備える。
【０００６】
各発光ダイオード１０３ｂ、１０３ｒ、１０３ｇは、青色、赤色、緑色の順で繰り返し配置されており、照明器具１００の中央寄りの各発光ダイオード１０３ｂ、１０３ｒ、１０３ｇから出射される青色、赤色、緑色の光Ｌｂ、Ｌｒ、Ｌｇは、空間で均等に混合し、照明器具１００から離れた位置のユーザからは白色の光として見える。なお、図６において、各発光ダイオード１０３ｂ、１０３ｒ、１０３ｇから出射される光Ｌｂ、Ｌｒ、Ｌｇが空間に略円錐形状に広がって進行する態様が二点鎖線によって示されている。
【０００７】
ところが、端部の発光ダイオード１０３ｇから出射された光Ｌｇは、図６からも明らかなように、外側に隣接する光が存在しないことから、他の色の光Ｌｂ、Ｌｒと均等には混合し難く、どうしても発光ダイオード１０３ｇの固有の光色（緑色）が目立ち、照明器具１００の端部が白色ではないように見え、ユーザに違和感を与えることになっていた。
【０００８】
そこで、本発明は、光色の異なる複数の光源を列状に繰り返し配置してなる照明器具において、端部の光源の光色が目立たないようにしてユーザに違和感を与えることがない照明器具を提供することを目的とする。
【課題を解決するための手段】
【０００９】
上記目的を達成するために、請求項１の発明は、光色の異なる複数の光源を列状に繰り返し配置してなる照明器具において、前記列状の端部に位置する光源を覆うカバーを備え、前記カバーは前記端部の光源から出射される光を減衰させることを特徴とする。
【００１０】
請求項２の発明は、請求項１に記載の照明器具において、前記カバーは、光拡散処理されていることを特徴とする。
【００１１】
請求項３の発明は、請求項１又は請求項２に記載の照明器具において、前記カバーは、それが覆う光源の補色に着色されていることを特徴とする。
【発明の効果】
【００１２】
請求項１の発明によれば、照明器具の端部の光源から出射される光がカバーによって減衰されるので、端部の光源の光色が目立たず、ユーザに違和感を与えることがない。
【００１３】
請求項２の発明によれば、照明器具の端部の光源から出射される光がカバーによって減衰されると共に拡散されるので、端部の光源の光色がより目立たず、ユーザに違和感を与えることがない。
【００１４】
請求項３の発明によれば、照明器具の端部の光源から出射される光が、カバーに着色された補色によって白色化されるので、端部の光源の光色がさらに目立たなくなる。
【発明を実施するための最良の形態】
【００１５】
以下、本発明の一実施形態に係る照明器具について、図１乃至図３（ａ）、（ｂ）を参照して説明する。本実施形態の照明器具１は、図１、２に示されるように、本照明器具１の壁面等への取付け板２と、取り付け板２に固定される本体ケース３と、本体ケース３内に収納される水平方向に細長い基板４と、基板４上に１列に繰り返し並べて実装された青色、赤色、緑色の各発光ダイオード５ｂ、５ｒ、５ｇ（光源）と、各発光ダイオードの上面を覆う光透過性の蓋体６と、を備える。各発光ダイオード５ｂ、５ｒ、５ｇは、基板４の裏面に取付けられた電源回路（不図示）と点灯回路（不図示）によって所定の明るさに点灯される。
【００１６】
本体ケース３は、基板４を収納する立壁部分３ａを有している。蓋体６は、透明な樹脂成型品からなり、本体ケース３に上方より挿入して嵌合するように、本体ケース３の立壁部分３ａに相似した形状を有している。具体的には、本体ケース３の立壁部分３ａは、その両端に基板４の突出部４ａを収納する幅狭部３ｂを有しており、蓋体６の両端部にも幅狭部６ａを有している。従って、１列に並ぶ発光ダイオード５ｂ、５ｒ、５ｇの列の両端は、本体ケース３の幅狭部３ｂ内にまで延びて配置されている。
【００１７】
そして、本実施形態の照明器具１では、両端部の発光ダイオード５ｂ、５ｇの上方を覆うようにして、蓋体６の幅狭部６ａに、各発光ダイオード５ｂ、５ｇからの出射光を減衰させるカバー７が取外し自在に装着されている。
【００１８】
カバー７の構造について、図３（ａ）、（ｂ）を参照して説明する。図３（ａ）はカバー７を斜め後方から見た斜視図、図３（ｂ）はカバー７を斜め前方から見た斜視図である。カバー７は、透明ではない樹脂成型品からなり、蓋体６の幅狭部６ａの幅ｗ（図１）と略同一幅ｗの内幅を有する略立方体形状であり、前面と底面が欠けたキャップ状であって、図１に示されるように、上方より幅狭部６ａに挿入して嵌合することができるようになっている。カバー７の前面の下部には、引っ掛かり部７ａが形成されており、カバー７が幅狭部６ａに挿入されたとき、該引っ掛かり部７ａが幅狭部６ａの側面に形成された凹部６ｂに嵌入して抜け止めがなされるようになっている。
【００１９】
カバー７は、樹脂成型の基材にシリカやタルク等の光拡散材が混入されたものであり、カバー７の各面７ｂを透過して内側から外側へ出射する光を減衰し、かつ拡散させる。また、カバー７の後面７ｃには、黒色の印刷が施され、又はシールが貼付されて、出射する光を略ゼロにまで減衰させる。なお、カバー７は、樹脂成型の基材に拡散材を混入することに代えて、基材自体を乳白色のものにしてもよいし、カバー７の表面、又は裏面にシボ加工を施してもよい。
【００２０】
次に、カバー７が蓋体６の両端の幅狭部６ａに装着されたときの、各発光ダイオード５ｂ、５ｒ、５ｇから出射される光Ｌｂ、Ｌｒ、Ｌｇが混合する態様について、図２を参照して説明する。各発光ダイオード５ｂ、５ｒ、５ｇは、前述の通り青色、赤色、緑色の順で繰り返し配置されており、照明器具１の端部を除く各発光ダイオード５ｂ、５ｒ、５ｇ・・から出射される青色、赤色、緑色の光Ｌｂ、Ｌｒ、Ｌｇは、蓋体６のカバー７で覆われていない部分を透過して空間へ拡散し均等に混合される。従って、照明器具１から離れた位置のユーザからは白色の光として見える。
【００２１】
これに対して、両端部の発光ダイオード５ｂ、５ｇから出射される光Ｌｂｈ、Ｌｇｔは、斜め上方をカバー７によって覆われるので、カバー７に進入した光（主に、発光ダイオード５ｂ、５ｇから外側方向へ出射された光）は拡散され、光エネルギーが減衰される。従って、両端部の発光ダイオード５ｂ、５ｇの固有の光色（青色、緑色）が目立つことがなく、ユーザに違和感を与えることがない。なお、両端部の発光ダイオード５ｂ、５ｇから出射される光Ｌｂｈ、Ｌｇｔのうち、カバー７に進入することなく、照明器具１の中央寄りへ進む光は、他の発光ダイオード５ｒ、５ｇ、５ｂからの光と混合して白色になる。
【００２２】
さらに、本実施形態では、各カバー７の後面７ｃが黒色に印刷され、又は黒色のシールが貼付されて、光不透過に加工されているので、両端部の発光ダイオード５ｂ、５ｇから出射される光Ｌｂｈ、Ｌｇｔのうち、中央寄りの発光ダイオードからの光と最も混合し難い、水平に近い角度で外方へ出射される光Ｌｂｓ、Ｌｇｓが照明器具１の外側へ漏れることがなく、そのことによっても両端部の発光ダイオード５ｂ、５ｇの光色（青色、緑色）が、ユーザから見て目立つことがない。
【００２３】
また、本実施形態では、図２に示されるように、両端部の発光ダイオード５ｂ、５ｇの直上にカバー７の先端が位置するようにして、両端部の発光ダイオード５ｂ、５ｇから出射される光Ｌｂｈ、Ｌｇｔの略半分がカバー７によって覆われる構成であったが、カバー７の上面の先端を照明器具１の中央寄りへ延長することによって、両端部の発光ダイオード５ｂ、５ｇから出射される光Ｌｂｈ、Ｌｇｔの大部分がカバー７によって覆われるように構成してもよい。
【００２４】
次に、カバー７の変形例について、図４を参照して説明する。上記実施形態におけるカバー７は樹脂成型品であり、蓋体６の幅狭部６ａに対して弾性変形により取外し自在に嵌合されるようになっていたが、変形例に係るカバー７は、図４に示されるように、蓋体６の幅狭部６ａに取外し自在に貼着されるシート状カバー７０としたものである。
【００２５】
具体的には、シート状カバー７０は、裏面に粘着剤が付され、蓋体６の幅狭部６ａに貼着されたときに幅狭部６ａの４つの外周面を覆うように略Ｔ字状に形成されたものである。そして、蓋体６の幅狭部６ａに貼着されたときに幅狭部６ａの端面に貼着される部分７０ａには、光不透過になるように黒色の印刷Ｂが施され、蓋体６の幅狭部６ａに貼着されたときに幅狭部６ａの上面及び側面に貼着される部分７０ｂには、幅狭部６ａの外側へ向かうに従って光の透過率が低下するように、徐々に濃くなる黒色の印刷Ｂが施されている。なお、上記光不透過とするための印刷は、黒色に限られず白色、その他の着色でもよい。また、ドットパターン、粗面化処理等も有効である。
【００２６】
従って、上記シート状カバー７０が蓋体６の幅狭部６ａに貼着された照明器具１においても、キャップ状のカバー７が装着された照明器具１と同様に、両端部の発光ダイオード５ｂ、５ｇから出射されシート状カバー７０に進入する光Ｌｂｈ、Ｌｇｔは、光エネルギーが減衰され、両端部の発光ダイオード５ｂ、５ｇ固有の光色（青色、緑色）が目立つことがなく、ユーザに違和感を与えることがない。なお、シート状カバー７０は、全体に艶消し加工が施されたものであってもよいし、シート状カバー７０の形状は、Ｔ字状に限られず他の形状であってもよい。
【００２７】
また、上記キャップ状のカバー７、又はシート状カバー７０に、光を減衰させるために着色される色は、黒色に限られず、発光ダイオード５ｂ、５ｇの光色の補色であってもよい。例えば、青色の発光ダイオード５ｂの上部を覆うカバー７、７０は橙色に着色し、緑色の発光ダイオード５ｇの上部を覆うカバー７、７０は赤紫色に着色したものであってもよい。この場合には、両端部の発光ダイオード５ｂ、５ｇから出射される光Ｌｂｈ、Ｌｇｔがカバー７、７０によって減衰されると共に、補色作用によって白色化されて固有の色が目立たなくなる。
【００２８】
なお、照明器具１は、常に単一で用いられるものではなく、図５に示されるように、取付ける壁面の長さに応じて複数台の照明器具１ａ、１ｂ、・・１ｍ、１ｎをユニットとして連結させて用いられる場合がある。この場合には、連結された複数台の照明器具１ａ、１ｂ、・・１ｍ、１ｎの全体を通じて、１列に配置された青色、赤色、緑色の発光ダイオード５ｂ、５ｒ、５ｇが、この順序で繰り返されるように構成することによって、全体を通じた両端の発光ダイオード５ｂｈ、５ｇｔのみが固有の光色が目立つようにできるので、全体を通じた両端の照明器具１ａ、１ｎの左右端部にのみカバー７、又はシート状カバー７０を取付けるだけでよい。
【００２９】
具体的には、図５において左端の照明器具１ａの左端の発光ダイオード５ｂｈと、右端の照明器具１ｎの右端の発光ダイオード５ｇｔに対してのみ、その上方を覆うようにカバー７、又はシート状カバー７０が取付けられ、照明器具同士が接する位置（例えば、照明器具１ａと照明器具１ｂが接する位置）の発光ダイオードに対しては、カバー７、又はシート状カバー７０は不要である。
【００３０】
上記のように、複数の照明器具１ａ、１ｂ、・・１ｍ、１ｎが連結されて長尺の照明器具組立体が構成される場合、両端の照明器具１ａ、１ｎに対してのみカバー７、７０が必要であるが、そのような場合でも、本実施形態のカバー７、７０は、照明器具の連結作業が完了した後に、嵌めこみ、又は貼り付けによって事後的に取付けることができるので、組み立て作業の簡便化を図ることができる。
【図面の簡単な説明】
【００３１】
【図１】本発明の一実施形態に係る照明器具の分解斜視図。
【図２】同照明器具の縦断正面図。
【図３】（ａ）は同照明器具におけるカバーを斜め後方から見た斜視図、（ｂ）は同照明器具におけるカバーを斜め前方から見た斜視図。
【図４】同照明器具におけるカバーの変形例を示す斜視図。
【図５】同照明器具が複数台連結されて用いられる場合の形態を示す図。
【図６】従来の照明器具の縦断正面図。
【符号の説明】
【００３２】
１、１ａ、１ｂ、１ｍ、１ｎ  照明器具
５ｂ、５ｒ、５ｇ  発光ダイオード（光源）
７  カバー
７０  シート状カバー（カバー）
Ｌｂ、Ｌｒ、Ｌｇ  光
【図１】
2009129689.tif 000003
【図２】
2009129689.tif 000004
【図３】
2009129689.tif 000005
【図４】
2009129689.tif 000006
【図５】
2009129689.tif 000007
【図６】
2009129689.tif 000008